(57)【要約】【課題】電力消費を減らして電池の消耗を抑えること。【解決手段】移動局１０１の同調受信部３０１である地上波デジタル放送受信チューナが起動されると（Ｓ８０１）、探索停止タイマである電波サーチタイマのカウントを開始して（Ｓ８０２）、指定されたチャネルの電波サーチを行う（Ｓ８０３）。ここで、電波サーチが完了した場合は（Ｓ８０４、Ｓ８０５）、電波サーチを終了して視聴が開始可能となる（Ｓ８０７）。本実施形態では、その後電波状態が悪化してチャネルの同調ができなくなると再び電波サーチを開始し（Ｓ８０９）、その際には同様に電波サーチタイマを開始する（Ｓ８１０）。【選択図】図８
2009094882.tif 000002
【特許請求の範囲】
【請求項１】
所望のデジタル放送のチャネルに同調して情報を抽出する同調手段と、
前記同調手段が前記所望のチャネルに同調するために、該所望のチャネルを探索するチャネル探索手段と、
前記同調手段により抽出された情報を出力する情報出力手段と
を備え、
前記チャネル探索手段は、所定の条件を満足する場合、予め定められた時間経過後にも該所望のチャネルの探索が完了しないときは、探索を終了することを特徴とするデジタル放送受信装置。
【請求項２】
前記所定の条件は、前記チャネル探索手段が前記所望のチャネルの探索を開始することであることを特徴とする請求項１に記載のデジタル放送受信装置。
【請求項３】
外形の変化を検知する外形変化検出手段をさらに備え、
前記所定の条件は、前記チャネル探索手段が前記所望のチャネルを探索中に、前記外形変化検出手段が外形の変化を検出することであることを特徴とする請求項１または２に記載のデジタル放送受信装置。
【請求項４】
前記チャネル探索手段は、所定の条件を満足した時点で前記予め定められた時間に満了する探索停止タイマの計数を開始し、前記所望のチャネルの探索が完了すると計数を停止することを特徴とする請求項１、２または３に記載のデジタル放送受信装置。
【請求項５】
外形の変化を検知する外形変化検出手段をさらに備え、
前記情報出力手段は、前記チャネル探索手段の探索が完了した後、前記抽出された情報を出力中に前記経過変化検出手段が外形の変化を検出したときは、予め定められた時間経過後に、さらに外形が変化してもとの状態に戻らないときは情報の出力を終了することを特徴とする請求項１ないし４のいずれかに記載のデジタル放送受信装置。
【請求項６】
前記情報出力手段は、所定の条件を満足した時点で前記予め定められた時間に満了する視聴停止タイマの計数を開始し、前記所望のチャネルの探索が完了すると計数を停止することを特徴とする請求項５に記載のデジタル放送受信装置。
【請求項７】
前記外形変化検出手段は筐体開閉センサであることを特徴とする請求項５または６に記載のデジタル放送受信装置。
【請求項８】
デジタル放送受信装置を用いてデジタル放送のチャネルを探索して、該チャネルを通じ配信されるデジタル放送情報を受信するデジタル放送受信方法であって、
所望のデジタル放送のチャネルに同調して情報を抽出する同調ステップと、
前記同調ステップにおいて前記所望のチャネルに同調していない場合、該所望のチャネルを探索するチャネル探索ステップと、
前記同調ステップにおいて抽出された情報を出力する情報出力ステップと
を備え、
前記チャネル探索ステップは、所定の条件を満足する場合、探索停止タイマを設定して予め定められた時間経過後にも該所望のチャネルの探索が完了しないときは、探索を終了することを特徴とするデジタル放送受信方法。
【発明の詳細な説明】
【技術分野】
【０００１】
本発明は、デジタル放送受信装置および方法に関し、特にチャネルを指定してチャネルサーチを行うチューナ部を有するデジタル放送受信装置および方法に関する。
【背景技術】
【０００２】
従来から、地上波（アナログ）テレビ放送を受信する車載型あるいは持ち運び型の小型の受信装置が用いられていたが、ワンセグサービスの登場により、一定の場所に固定して使用されていたデジタル放送受信装置も、専用の持ち運び型の受信装置や携帯電話にデジタル放送受信機能を組み込み、必要に応じ視聴可能なものなど、多様な機種が開発されてきている。ここで、ワンセグ対応の携帯電話など地上波デジタル放送対応の移動局は、地上波デジタルチューナを内蔵しており、その動作は、ユーザがチャネルを指定すると電波サーチを行って、電波サーチが正常に完了すると指定チャネルが画面上に表示され、ユーザが視聴可能となるというものである。
【０００３】
このようなワンセグ対応の携帯電話をはじめ持ち運び可能なタイプの受信装置は、基本的に電池駆動であり放電するまでの限られた時間しか動作することができないので、種々の省電力機能が提案されている。このような提案の中では、アナログ放送用の技術であるが、アナログＴＶ放送の携帯型受信機で電池の消耗を軽減するために受信部の電源をタイマにより制御する技術が提案されている（例えば、特許文献１参照）。また、省電力化機能を備えた携帯型のワンセグ受信機も提案されている（例えば、特許文献２参照）。
【０００４】
【特許文献１】特開２００５−３３６７１号公報
【特許文献２】特開２００７−１０４４９０号公報
【発明の開示】
【発明が解決しようとする課題】
【０００５】
しかしながら、従来の持ち運び型または携帯電話組み込み型のデジタル放送受信装置では、受信電波状態が悪い等チャネルのサーチが成功しないときも継続して指定されたチャネルの電波サーチし続けていた。また、折り畳み形式(シェル型)の地上波デジタル放送対応の移動局の場合、チャネルの電波サーチ中に移動局を折り畳んでも、チャネルサーチを中止せず継続してサーチ状態となっており問題である。
【０００６】
すなわち、従来の装置では地上波デジタル放送を移動局で受信しようとして受信チューナを起動したにもかかわらず、屋内で受信しているなどの原因で電波状態が悪く、チャネルの視聴ができない場合も、移動局の受信チューナは指定チャネルが受信可能となるまで指定チャネルの電波をサーチし続ける。ユーザが移動局に対し地上波デジタル放送受信を中止するような操作を行わない限り、指定チャネルを受信するための電波サーチ(チャネルサーチ)動作が継続していた。例えば、筐体が折り畳み型の移動局では、移動局の受信チューナが指定チャネルの電波サーチ(チャネルサーチ)状態で、ユーザが視聴を断念して折り畳み形式の移動局を折り畳んで、または誤って地上波デジタル放送受信の中止操作を行わずに、開閉型の移動局の筐体を閉じた場合も、移動局は地上波デジタル放送の指定チャネルの電波サーチ(チャネルサーチ)を終了せずに継続する。このため、移動局のデジタル放送受信チューナを起動せずに、通常の待受け制御を行っている場合に比較して、電力を急速に浪費し、ユーザが地上波デジタル放送の受信を中止する操作自体を行うまで、ユーザが気付かない間に電池の充電容量が急速に減少して、短時間で電池が空になってしまうという問題があった。
【０００７】
また、地上波デジタル放送は、移動局のアンテナを伸ばさないで、筐体に格納しておいた場合、地上波デジタルの受信が正常にできず、指定したチャネルを受信できないことが多いため、指定したチャネルの電波サーチ状態になる。したがって、ユーザがアンテナを筐体に格納した状態では、移動局の位置で一定の受信電波強度があっても電波サーチを継続して行うため、電池容量が減ってしまう問題があった。
【０００８】
さらに、チャネルの電波サーチが正常に完了して指定チャネルの番組を視聴可能となった場合に、チャネル視聴状態でユーザが故意または誤って折り畳み形式の移動局を折り畳んで閉じてもチャネル視聴状態が継続するため、ユーザが気付かない間に、電池の電源容量が急速に減少するという問題があった。
【０００９】
また、地上波デジタル受信ソフトウェアを起動中は、電波サーチ、またはチャネル受信を中止できなかった。地上波デジタルソフトウェアを起動したまま、電波サーチ、またはチャネルの受信を停止、または終了し、直前まで受信していた画面のみを表示し続けることができなかった。地上波デジタルソフトウェアを起動中は、電波サーチ、またはチャネルの受信を必ず伴っており、電波サーチ、またはチャネルの受信を終了させる時は、地上波デジタルソフトウェアを終了する必要があった。直前まで受信していた画面を表示し続け、電波サーチ、またはチャネルの受信は消費電流の関係で不要という場合にも、電波サーチまたはチャネルの受信が行われていた。
【００１０】
本発明はこのような問題を解決するものであり、チャネルサーチ等にタイマ制御を取り入れることにより、無駄なチャネルサーチまたはデータの受信を制限し、電力消費を減らして電池の消耗を抑えることが可能なデジタル放送受信装置および方法を提供することを目的とする。
【課題を解決するための手段】
【００１１】
このような目的を達成するために、請求項１に記載の発明は、デジタル放送受信装置であって、所望のデジタル放送のチャネルに同調して情報を抽出する同調手段と、同調手段が所望のチャネルに同調するために、所望のチャネルを探索するチャネル探索手段と、同調手段により抽出された情報を出力する情報出力手段とを備え、チャネル探索手段は、所定の条件を満足する場合、予め定められた時間経過後にも所望のチャネルの探索が完了しないときは、探索を終了することを特徴とする。
【００１２】
請求項２に記載の発明は、請求項１に記載のデジタル放送受信装置において、所定の条件は、チャネル探索手段が所望のチャネルの探索を開始することであることを特徴とする。
【００１３】
請求項３に記載の発明は、請求項１または２に記載のデジタル放送受信装置において、外形の変化を検知する外形変化検出手段をさらに備え、所定の条件は、チャネル探索手段が所望のチャネルを探索中に、外形変化検出手段が外形の変化を検出することであることを特徴とする。
【００１４】
請求項４に記載の発明は、請求項１、２または３に記載のデジタル放送受信装置において、チャネル探索手段は、所定の条件を満足した時点で予め定められた時間に満了する探索停止タイマの計数を開始し、所望のチャネルの探索が完了すると計数を停止することを特徴とする。
【００１５】
請求項５に記載の発明は、請求項１ないし４のいずれかに記載のデジタル放送受信装置において、外形の変化を検知する外形変化検出手段をさらに備え、情報出力手段は、チャネル探索手段の探索が完了した後、抽出された情報を出力中に経過変化検出手段が外形の変化を検出したときは、予め定められた時間経過後に、さらに外形が変化してもとの状態に戻らないときは情報の出力を終了することを特徴とする。
【００１６】
請求項６に記載の発明は、請求項５に記載のデジタル放送受信装置において、情報出力手段は、所定の条件を満足した時点で予め定められた時間に満了する視聴停止タイマの計数を開始し、所望のチャネルの探索が完了すると計数を停止することを特徴とする。
【００１７】
請求項７に記載の発明は、請求項５または６に記載のデジタル放送受信装置において、外形変化検出手段は筐体開閉センサであることを特徴とする。
【００１８】
請求項８に記載の発明は、デジタル放送受信方法であって、デジタル放送受信装置を用いてデジタル放送のチャネルを探索して、チャネルを通じ配信されるデジタル放送情報を受信するデジタル放送受信方法であって、所望のデジタル放送のチャネルに同調して情報を抽出する同調ステップと、同調ステップにおいて所望のチャネルに同調していない場合、所望のチャネルを探索するチャネル探索ステップと、同調ステップにおいて抽出された情報を出力する情報出力ステップとを備え、チャネル探索ステップは、所定の条件を満足する場合、探索停止タイマを設定して予め定められた時間経過後にも所望のチャネルの探索が完了しないときは、探索を終了することを特徴とする。
【発明の効果】
【００１９】
本発明によれば、デジタル放送受信装置であって、所望のデジタル放送のチャネルに同調して情報を抽出する同調手段と、同調手段が所望のチャネルに同調するために、所望のチャネルを探索するチャネル探索手段と、同調手段により抽出された情報を出力する情報出力手段とを備え、チャネル探索手段は、所定の条件を満足する場合、予め定められた時間経過後にも所望のチャネルの探索が完了しないときは、探索を終了するので、無駄なチャネルサーチまたはデータの受信を制限し、電力消費を減らして電池の消耗を抑えることが可能となる。
【発明を実施するための最良の形態】
【００２０】
以下、図面を参照して本発明の実施の形態について詳しく説明する。
【００２１】
（第１実施形態）
図１は、本実施形態のシステム構成を示す図である。図１に示すように無線移動局１０１は、無線リンクを介して移動通信システム１と通信可能であり、さらに地上波デジタル放送局１１０から配信されるデジタル放送を受信可能である。移動局１０１が地上波デジタル放送受信を開始するために受信チューナ、後述の同調受信部３０１およびチャネル探索部３０２を起動すると、移動局１０１はユーザが指定したチャネルを受信するため、チャネルの電波サーチを行う。電波サーチ中に指定したチャネルの探索が完了しない場合、電波サーチを継続するが、電波サーチ中、屋外など電波状態のいいところに移動するとチャネルの探索が可能となって電波サーチが完了し、チャネルを同調してユーザは視聴を開始することができる。さらに視聴開始状態で、再度屋内など電波状態の悪いところに移動するとチャネルが同調しないことを検出して、電波サーチを再開することとなり、電波サーチ状態となる。
【００２２】
一般に持ち運び型の移動局の受信装置では、電波サーチ中に移動局の移動で受信状態が回復し視聴開始される可能性があるので、継続的に電波サーチが行われる。なお、このような場合には、チャネルの視聴が不可となったのち、直前までの受信画面を表示し続けながら、電波サーチを行ったり、直前までの画面を表示せずに電波サーチ状態になっていることを示す画面を表示しつつ電波サーチを行ったりすることも可能である。
【００２３】
電波サーチ(チャネルサーチ)を開始する際に、移動局１０１は内部のタイマをセットして電波サーチタイマ動作を開始して電波サーチ中(チャネルサーチ中)は電波サーチタイマを進行させ、電波サーチが完了し、指定した地上波デジタル放送のチャネルが受信され、視聴開始となった時点で電波サーチタイマを停止する。電波サーチタイマが指定した時間に達し、タイマ満了した時点で、移動局１０１が電波サーチを完了していなくても、タイマが満了していれば電波サーチを中止し、地上波デジタル放送チューナの動作を終了し、および地上波デジタル放送の受信動作を終了する。
【００２４】
また、地上波デジタル放送受信を開始して、受信チューナを起動する際、移動局１０１はユーザが指定したチャネルを受信するため、チャネルの電波サーチを行って電波サーチ完了後チャネルを視聴開始とするが、視聴開始時に視聴タイマを移動局１０１がセットしているので、視聴中はタイマが進行する。視聴開始から、電波サーチ中の状態に戻ったら、視聴タイマを停止して今度は電波サーチタイマを開始する。このように本実施形態では電波サーチタイマと視聴タイマは連動してセット、停止される。視聴タイマが満了したら視聴を中止し、地上波デジタル放送チューナの動作を終了し、および地上波デジタル放送の受信動作を終了する。
【００２５】
図２は、本実施形態の移動局１０１を模式的に示す図である。本実施形態では、移動局１０１の一例としてデジタル放送受信機能を組み込んだ携帯電話を用いて説明を行う。移動局１０１は、図２に示すように折り畳み型の筐体となっており、基本機能としては筐体を開いた状態でキーパッド１０２を使用して発信を行い通話をしたり、画面１０３にキーパッド１０３から入力した文字を表示させてメールを作成して送信し、あるいは受信して表示したりすることができる。本実施形態では、このような移動局１０１をデジタル放送の受信機として使用するため、放送内容は内蔵のチューナで受信し画面１０３に配信された映像を表示し、図示しないスピーカで音声を出力する。
【００２６】
図３は、本実施形態の移動局１０１の機能モジュールを示すブロック図である。一般に、移動局１０１の各種機能は、ハードウェアまたはソフトウェアにより実装される複数のモジュールを組み合わせて実現される。すなわち、各機能は、例えば図３に示すようなモジュール構成で示すことができるが、これは単なる例示であり、各モジュールの機能をさらにいくつかのモジュールで分担したり、いくつかのモジュールの機能を統合したモジュールを想定したりすることができるのはいうまでもない。以下に、各個別システムのモジュール構成を説明するが、これらのモジュールが相互に連携を取って実行され、後述する本実施形態の処理が達成されるのである。
【００２７】
図３を参照すると、同調受信部３０１は、所望のチャネルが指定され、チャネルの探索が完了すると同調して、デジタル放送局１１０から配信される番組の画像や音声データを出力し、チャネル探索部３０２は、所望のチャネルを指定されるとそのチャネルを探索する。また、画像音声出力部３０３は、チャネルに同調して出力された画像、音声データを画面１０３や図示しないスピーカに出力し、データ通信管理部３０５はデジタル放送以外の通話やメール送受信機能などを実装する。
【００２８】
次に、図８に本実施形態の電波サーチ、視聴処理のフローを示す。移動局１０１の同調受信部３０１である地上波デジタル放送受信チューナが起動されると（Ｓ８０１）、探索停止タイマである電波サーチタイマのカウントを開始して（Ｓ８０２）、指定されたチャネルの電波サーチを行う（Ｓ８０３）。ここで、電波サーチが完了した場合は（Ｓ８０４、Ｓ８０５）、電波サーチを終了して視聴が開始可能となる（Ｓ８０７）。本実施形態では、その後電波状態が悪化してチャネルの同調ができなくなると再び電波サーチを開始し（Ｓ８０９）、その際には同様に電波サーチタイマを開始する（Ｓ８１０）。本実施形態では、上述したとおり、電波サーチタイマ満了時、視聴タイマ満了時に電波サーチの中止、視聴の中止を行うが、この時に直前まで受信していた画面を表示し続けてもよい。この場合再度電波サーチを開始する場合は、移動局のボタン操作等で、チャネル受信のための電波サーチ要求を必要とするようにすることができる。電波サーチタイマ、視聴タイマどちらかのみ有して、電波サーチ時、視聴時にタイマ制御を行うことも可能である。移動局１０１は、無線リンクを介して移動通信システムと通信可能でなく地上波デジタル放送の受信専用のものとすることもできる。
【００２９】
以上、本実施形態では本願発明のデジタル放送受信装置および方法を携帯電話に組み込んだ受信装置に適用する例を用いて説明したが、本願発明はこれに限られず専用の持ち運び型受信装置を含め種々のデジタル放送受信装置に適用することができる。
【００３０】
（第２実施形態）
本実施形態では、移動局１０１の外形の変化を検出して、その状態を効率的なサーチ処理に反映させるものである。すなわち、本実施形態の移動局１０１は、図２に示すように折り畳み型となっており、開閉状態はセンサにより検出することができる。一般に、典型的には折り畳んで画面１０３が見えない状態ではユーザはデジタル放送の視聴を欲していないと推認することができ、そのような場合に種々の処理を変更することはユーザフレンドリの点でも有効である。このように筐体の外形の変化はユーザの意志を推し量る手がかりとなるため、本実施形態でもセンサにより外形の変化を把握して、サーチ処理に利用する。
【００３１】
図１のように無線移動局は、無線リンクを介して移動通信システムと通信可能であり、さらに地上波デジタル放送を受信可能である。移動局が地上波デジタル放送受信を開始するため、受信チューナを起動した時、移動局はユーザが指定したチャネルを受信するため、チャネルの電波サーチを行う。電波サーチ中に、移動局の外形を図１２の通り地上波デジタル液晶を内側にした状態で折り畳んだ場合、ユーザは視聴する意志がないと判断され、折り畳んだ時点で電波サーチ中の場合は、電波サーチタイマ、視聴中は視聴タイマをセットして電波サーチタイマ、または視聴タイマ動作を開始し、電波サーチ中(チャネルサーチ中)または視聴中は、電波サーチタイマ、または視聴タイマを進行させる。そのような処理を実行している間に、ユーザが折り畳みを開いて、図２、図４または図５の地上波デジタル視聴可能な形状に戻らない状態で、電波サーチタイマまたは視聴タイマが満了した場合は、タイマトリガで電波サーチの中止、視聴の中止、地上波デジタル放送チューナの動作を終了し、地上波デジタル放送の受信動作を終了するよう制御される。
【００３２】
図９に本実施形態の移動局の外形変更に関する電波サーチタイマの満了による電波サーチ終了のフローを、図１０に移動局の外形変更に関する視聴タイマの満了による電波サーチ終了のフローを、図１１本実施形態の同調受信部であるチュ−ナ部３０１およびチャネル探索部である電波サーチ部３０２のシーケンスを示す。
【００３３】
電波サーチタイマ満了時、視聴タイマ満了時に電波サーチの中止、視聴の中止を行うが、この時に直前まで受信していた画面を表示し続けてもよい。この場合再度電波サーチを開始する場合は、移動局のボタン操作等で、チャネル受信のための電波サーチ要求を必要とする。電波サーチタイマ、視聴タイマどちらかのみ有して、電波サーチ時、視聴時にタイマ制御を行うことも可能とする。
【００３４】
移動局は、無線リンクを介して移動通信システムと通信可能でなく地上波デジタル放送のみ受信専用も可能とする。
【００３５】
（第３実施形態）
上記の第２実施形態では、折り畳みを検出するセンサを移動局１０１が備えており、折り畳みを検出したときは、視聴意志がないものとして処理したが、本実施形態では例えば図６に示すアンテナ１０４が使用されている（引き出されている）か否かを検出するセンサを備える移動機を想定し同様の処理を行う。
【００３６】
図１のように無線移動局は、無線リンクを介して移動通信システムと通信可能であり、さらに地上波デジタル放送を受信可能である。移動局が地上波デジタル放送受信を開始するため、図６の通りユーザは地上波デジタル用のアンテナ１０４を伸ばす。受信チューナを起動した時、移動局はユーザが指定したチャネルを受信するため、チャネルの電波サーチを行う。電波サーチ中に、移動局１０１の外形を図７の通り地上波デジタル用のアンテナ１０４を筐体内に格納した場合、ユーザは視聴する意志がないと判断され、アンテナ１０４を格納した時点で電波サーチ中のときは、電波サーチタイマ、視聴中は視聴タイマをセットして電波サーチタイマ、または視聴タイマ動作を開始し、電波サーチ中(チャネルサーチ中)または視聴中は、電波サーチタイマ、または視聴タイマを進行させ、その間にユーザが地上波デジタル用のアンテナ１０４を伸ばして、図６の地上波デジタル視聴可能な形状に戻さなければ、電波サーチタイマ、または視聴タイマが満了し、電波サーチの中止、視聴の中止、地上波デジタル放送チューナの動作を終了し、地上波デジタル放送の受信動作を終了する。
【００３７】
また電波サーチタイマ、視聴タイマに関して、地上波デジタル用アンテナの形状と、折り畳み形式の移動局の形状を組み合わせて、アンテナが引っ込められているか、折り畳んで閉じられているかの片方が行われた時点で、電波サーチ中の場合は電波サーチタイマ、視聴中の場合は視聴タイマをセットし、前記形状の片方でも行われている間はタイマを進行させ、その間にアンテナが伸ばされず、または折り畳みが開かれなければ、電波サーチタイマ、または視聴タイマが満了し、電波サーチの中止、視聴の中止、地上波デジタル放送チューナの動作を終了し、地上波デジタル放送の受信動作を終了するよう制御される。
【００３８】
電波サーチタイマ満了時、視聴タイマ満了時に電波サーチの中止、視聴の中止を行うが、この時に直前まで受信していた画面を表示し続けてもよい。この場合、再度電波サーチを開始する場合は、移動局のボタン操作等で、チャネル受信のための電波サーチ要求を必要とする。電波サーチタイマ、視聴タイマどちらかのみ有して、電波サーチ時、視聴時にタイマ制御を行うことも可能とする。
【００３９】
移動局は、無線リンクを介して移動通信システムと通信可能でなく地上波デジタル放送のみ受信専用も可能とする。
【００４０】
アンテナ１０４に関しては、上記では使用しているか否かを検出するセンサを前提としたが、これに限らずそのようなセンサを用いなくても、例えば外形の変更の判断基準として、地上波デジタル放送の受信レベルを測定し、規定の受信レベル以下であれば、アンテナ１０４の外形は変更されたとして、電波サーチタイマ、視聴タイマにより、電波サーチ時、視聴時にタイマ制御を行うことも可能である。
【図面の簡単な説明】
【００４１】
【図１】本願発明の一実施形態におけるシステム構成を示す図である。
【図２】本実施形態の移動局を模式的に示す図である。
【図３】本実施形態の受信装置のモジュール構成を示す図である。
【図４】本実施形態の移動局の外形変化の例を示す図である。
【図５】本実施形態の移動局の外形変化の例を示す図である。
【図６】本実施形態の移動局の外形変化の例を示す図である。
【図７】本実施形態の移動局の外形変化の例を示す図である。
【図８】本願発明の一実施形態における受信装置の処理を示すフローチャートである。
【図９】本願発明の一実施形態における受信装置の処理を示すフローチャートである。
【図１０】本願発明の一実施形態における受信装置の処理を示すフローチャートである。
【図１１】本実施形態における受信装置内の処理のシーケンスを示す図である。
【図１２】本実施形態の移動局の外形変化の例を示す図である。
【符号の説明】
【００４２】
１０、２０、３０、４０  基地局
１００  無線制御装置
２００、２０３  交換装置
２０１、２０４  パケットサービスノード
１０１  移動局
１０２  キーパッド
１０３  画面
１１０  地上波デジタル放送局
３０１  同調受信部
３０２  チャネル探索部
３０３  画像音声出力部
３０４  筐体開閉検出部
３０５  データ通信管理部
【図１】
2009094882.tif 000003
【図２】
2009094882.tif 000004
【図３】
2009094882.tif 000005
【図４】
2009094882.tif 000006
【図５】
2009094882.tif 000007
【図６】
2009094882.tif 000008
【図７】
2009094882.tif 000009
【図８】
2009094882.tif 000010
【図９】
2009094882.tif 000011
【図１０】
2009094882.tif 000012
【図１１】
2009094882.tif 000013
【図１２】
2009094882.tif 000014